(57)【要約】【課題】乗りかご上下に有効なスペースをより多く確保するとともに、乗りかごのサイズに対して必要最小限の昇降路寸法で据付や保守・点検が可能な機械室レスエレベーターを提供する。【解決手段】巻上機１１１により乗りかご１０２側部両側をロープ１０６で吊り上げ駆動するようにした機械室レスエレベーターにおいて、前記ロープ１０６を左右に配置し、この左右のロープ１０６ａ、ｂを個別にプーリ１０８ａ、ｂおよび転向プーリ１１０ａ、ｂを介して巻上機１１１に掛け、前記乗りかご側１０２を１：１のローピング比とし、次に、前記巻上機１１１に掛けられた後の左右のロープ１０６ａ、ｂを一組として釣り合い重り側１０３を２：１のローピング比となるように構成し、かつ、前記巻上機１１１および前記プーリプーリ１０８ａ、ｂと前記転向プーリ１１０ａ、ｂの配置位置を、乗りかご１１１の鉛直投影外となるように構成。【選択図】図１
2006347745.tif 000002
【特許請求の範囲】
【請求項１】
巻上機により乗りかご側部両側をロープで吊り上げ駆動するようにした機械室レスエレベーターにおいて、
前記ロープを左右に配置し、この左右のロープを個別にプーリおよび転向プーリを介して巻上機に掛け、前記乗りかご側を１：１のローピング比とし、次に、前記巻上機に掛けられた後の左右のロープを一組として釣り合い重り側を２：１のローピング比となるように構成し、かつ、前記巻上機および前記プーリと前記転向プーリの配置位置を、乗りかご鉛直投影外となるようにしたことを特徴とする機械室レスエレベーター。
【請求項２】
前記プーリおよび前記転向プーリを、一対の乗りかご用ガイドレールおよび一対の釣り合い重り用ガイドレールにより構成される平面内に配置したことを特徴とする請求項１記載の機械室レスエレベーター。
【請求項３】
前記乗りかご用ガイドレールと前記釣り合い重り用ガイドレールのレールゲージを同じ寸法としたことを特徴とする請求項１または請求項２記載の機械室レスエレベーター。
【請求項４】
上記左右のロープは、上記左右のロープの一端を各々前記乗りかご両側部に締結し、次に、左右のロープそれぞれを、左右別々に上方に設けられたプーリに巻き掛けた後、左右別々に下方に設けられた転向プーリに巻き掛けて転向させ、その後、上方に配置された巻上機のシーブに巻き掛け、このシーブ部で前記左右のロープを一組にまとめ、シーブ下方の鉛直延長上に設けられた釣り合い重り上部のプーリ巻き掛け、その後、昇降路上部に締結する構成としたことを特徴とする請求項１記載の機械室レスエレベーター。
【発明の詳細な説明】
【技術分野】
【０００１】
本発明は、乗りかごの側部両側をロープで吊り上げ、かつ、乗りかご側と釣り合い重り側のローピングが異なる比からなる機械室レスエレベーターに関する。
【背景技術】
【０００２】
従来のエレベーターとして、例えば、図３、図４に示すようなもの（例えば、特許文献１参照）がある。図３は従来の機械室レスエレベーターの平面図、図４は図３の正面図である。
【０００３】
図３、図４において、１は乗りかご２と釣り合い重り３が昇降する昇降路壁面、４はロープ、５、６は転向プーリ、８は昇降路頂部に設けられ転向プーリ５、６を支持するビーム、９は電動機、１０は釣り合い重り３に設けられるプーリ、１１はロープ４の一端が固定されるロープ固定端、１２は点検台、１３は点検台１２に設けられる柵、１４は制御盤、１５は金属帯、７１は綱車、７２は転向プーリを示している。
【０００４】
上記、従来のエレベーターは、乗りかご２の上部にロープ４が接続され、転向プーリ５、６を介して綱車７１、転向プーリ７２に至っている。更に、ロープ４は綱車７１に巻き付けられて電動機９の駆動力により、プーリ７２を経由して釣り合い重り３のプーリ１０に至り、端部は点検台１２のロープ固定端１１に至るようになっている。
【０００５】
ここで、乗りかご２と電動機９の間のローピング比は１：１であり、電動機９と釣り合い重り３とのローピング比は２：１である。前者のローピング比は後者のローピング比より低いため、鉛直方向の移動量は乗りかご２に比べ，釣り合い重り３の移動量は少なくなる。このため、釣り合い重り３の上部に釣り合い重り３が移動しない空間が捻出され、この空間を電動機や制御盤を設置できる等価的な機械室空間として利用可能となる。
【特許文献１】特開２０００−３５１５５２号公報
【発明の開示】
【発明が解決しようとする課題】
【０００６】
前記従来技術においては、建物の屋上に機械室はないが、乗りかご鉛直投影上部に乗りかご２に一端を締結されたロープ４を受けるプーリ５、６が必要であり、そのプーリ５、６を支持するためのビーム８も同様に不可欠であった。このため乗りかご上部隙間を確保するために、オーバーヘッド寸法をプーリ５、６およびビーム８の設置分、大きくとらざるを得なかった。また、上記従来のエレベーターにおいては、乗りかご鉛直投影でない箇所に点検台１２を配し、制御盤１４および電動機９を設置し機械室と等価的な機械室空間を確保しているため、ピット寸法の更なる縮小は困難であると考えられる。
【０００７】
本発明の目的は、乗りかご上下に有効なスペースをより多く確保するとともに、乗りかごのサイズに対して必要最小限の昇降路寸法で据付や保守・点検が可能な機械室レスエレベーターを提供することにある。
【課題を解決するための手段】
【０００８】
本発明は上記目的を達成するために、巻上機により乗りかご側部両側をロープで吊り上げ駆動するようにした機械室レスエレベーターにおいて、前記ロープを左右に配置し、この左右のロープを個別にプーリおよび転向プーリを介して巻上機に掛け、前記乗りかご側を１：１のローピング比とし、次に、前記巻上機に掛けられた後の左右のロープを一組として釣合い重り側を２：１のローピング比となるよう構成し、かつ、前記巻上機および前記プーリと前記転向プーリの配置位置を、乗りかご鉛直投影外となるようにしたことを特徴とする。
【発明の効果】
【０００９】
本発明の請求項１によれば、乗りかご上部および下部に従来の構造と比較して大きなスペースを確保することが可能であり、オーバーヘッド寸法の縮小、ピット寸法の短縮、更には乗りかご上下の機器配置が容易となり、組立や点検保守時間の短縮化が図れる。
【００１０】
また、請求項２においては、かご投影面積外で、かつ、一対のかご用ガイドレールおよび一対の釣り合い重り用ガイドレールにより構成される平面内にプーリを配置することから、昇降路寸法の省スペース化が可能となる。
【発明を実施するための最良の形態】
【００１１】
以下、本発明になる機械室レスエレベーターの実施形態を図に基き説明する。
【００１２】
図１は本発明の一実施形態になる機械室レスエレベーターの平面図、図２は図１の正面図である。
【００１３】
図１、図２において、乗りかご１０２および釣り合い重り１０３は昇降路１０１を昇降する。図示はしていないが、乗りかご１０２および釣り合い重り１０３の側面には，上下にガイド装置が取り付けられており、そのガイド装置により乗りかご１０２は乗りかご用ガイドレール１０４ａ、ｂに沿って昇降する。釣り合い重り１０３もそれと同様に、釣り合い重り用ガイドレール１０５ａ、ｂに沿って，かごを傾かせることなく滑らかに昇降路を昇降する。
【００１４】
また、乗りかご１０２はその重心付近の両側側部をロープ１０６ａ、ｂ（ここでは左右に一本づつ表示したが通常ロープは左右に複数本ある）の端部を固定するロープヒッチ１０７ａ、ｂにより直接，もしくは固定用機器を介して締結されている。このロープ１０６ａ、ｂは、その鉛直上方にあるプーリ１０８ａ、ｂに巻き回され、それと同じ高さにあり，水平方向位置の異なるプーリ１０９ａ、ｂまで巻き伸ばされる。そして、鉛直下方に設けられた転向プーリ１１０ａ、ｂを経て，巻上機１１１と一体であるシーブ１１２に巻き掛けられる。このため、乗りかご１０２は１：１のローピング比で昇降する。
【００１５】
一方、シーブ１１２に巻き掛けられたロープ１０６ａ、ｂは１組にまとめられ、その鉛直延長上にある釣り合い重り１０３の上部に設置されたプーリ１１３を介し、昇降路頂部に端部を固定するためのロープヒッチ１１４により直接，もしくは固定用機器を介して締結されている。このため、釣り合い重り側は２：１のローピング比となる。
【００１６】
また、前記巻上機１１１および前記プーリ１０８ａ、ｂとプーリ１０９ａ、ｂ並びに前記転向プーリ１１０ａ、ｂの配置位置を、乗りかご鉛直投影外となるようにしてある。
【００１７】
これらの構成により、乗りかご１０２上部および下部に従来の構造と比較して大きなスペースを確保することが可能であり、オーバーヘッド寸法の縮小、ピット寸法の短縮、更には乗りかご１０２上下の機器配置が容易となり、組立や点検保守時間の短縮化を図ることができる。
【００１８】
更に、プーリ１０８ａ、ｂとプーリ１０９ａ、ｂ並びに前記転向プーリ１１０ａ、ｂを、一対の乗りかご用ガイドレール１０４ａ、ｂおよび一対の釣り合い重り用ガイドレール１０５ａ、ｂにより構成される平面内に配置することにより、昇降路寸法の省スペース化が可能となる。
【００１９】
更に又、乗りかご用ガイドレール１０４ａ、ｂと釣り合い重り用ガイドレール１０５ａ、ｂのレールゲージを同じ寸法としたため、転向プーリ１１０ａ、ｂ及び巻上機１１１等を余裕をもって釣り合い重り用ガイドレール１０５ａ、ｂ間に収めることができるばかりかガイドレールの据付が容易となる。
【図面の簡単な説明】
【００２０】
【図１】本発明の一実施形態になる機械室レスエレベーターの平面図である。
【図２】図１の正面図である。
【図３】従来の機械室レスエレベーターの平面図である。
【図４】図３の正面図である。
【符号の説明】
【００２１】
１０１        昇降路
１０２        乗りかご
１０３        釣り合い重り
１０４ａ、ｂ  乗りかご用ガイドレール
１０５ａ、ｂ  釣り合い重り用ガイドレール
１０６ａ、ｂ  ロープ
１０７        かご締結用ロープヒッチ
１０８ａ、ｂ  プーリ
１０９ａ、ｂ  プーリ
１１０ａ、ｂ  転向プーリ
１１１        巻上機
１１２        シーブ
１１３        プーリ
１１４        昇降路締結用ロープヒッチ
【図１】
2006347745.tif 000003
【図２】
2006347745.tif 000004
【図３】
2006347745.tif 000005
【図４】
2006347745.tif 000006